(57)【要約】【課題】床材の表面側からの高さ調整を可能とした上で、さらに、基礎床面側のみならず床材との接触面側も含んだ全体の接着固定を可能とする手段を提供する。【解決手段】中央開孔の上面基台（１）と、上部側が前記上面基台（１）の開孔箇所と組み合う中空構造の支柱（２）と、該支柱（２）の下端側と組み合う下面基台（３）とを有し、前記支柱（２）は下端側に球状端部（２２）を有し、該球状端部（２２）は開孔部及び接着剤の流出路となる溝（２２ｂ）を有し、該支柱（２）の長さ方向に沿った側面には平滑面（２３）が形成され、閉塞状態を維持したままで広がるスリット（３３）を有し、凹部収納体（３１）は中央部に接着剤の流出口となる開孔部を有すると共に、フランジ（３２）の中央部にも開孔部を有し、該下面基台（３）の底面側には、接着剤の外部流出を防ぐ閉塞壁（３５）を有する。【選択図】図２
2018076685.tif 000002
【特許請求の範囲】
【請求項１】
中央開孔で、該開孔箇所にネジ溝が形成された上面基台と、
外周面にネジ山が形成され、上部側が前記上面基台の開孔箇所と組み合う中空構造の支柱と、
該支柱の下端側と組み合う下面基台とを有し、
前記支柱は、中空部分の上部側が多角形状に形成されると共に、中空部分の下端側に球状端部を有し、
該球状端部は、最下端箇所の中央部に接着剤の流出口となる開孔部を有すると共に、外周面に該開孔部と連続する接着剤の流出路となる溝を有し、
該支柱の長さ方向に沿った側面には、接着剤流路用の平滑面が形成され、該平滑面以外の外周面にはネジ山が形成されており、
前記下面基台は、前記支柱の球状端部と組み合う凹部収納体とフランジを有すると共に、前記球状端部を組み合わせた際に閉塞状態を維持したままで広がるスリットを有し、
該スリットは、凹部収納体及びフランジに連続して形成され、
該凹部収納体は、中央部に接着剤の流出口となる開孔部を有すると共に、内周面に該開孔部と連続する接着剤の流出路となる溝を有し、
該フランジの中央部にも開孔部を有し、
該下面基台の底面側には、接着剤の外部流出を防ぐ閉塞壁を有することを特徴とする、接着対応束。
【請求項２】
前記下面基台は、底面側に突出する三箇所の凸部を有し、該三箇所の凸部を囲むように閉塞壁を有することを特徴とする、前記請求項１に記載の接着対応束。
【請求項３】
閉塞壁が、弾性素材で形成されていることを特徴とする、前記請求項１または２に記載の接着対応束。
【発明の詳細な説明】
【技術分野】
【０００１】
本発明は接着対応束に関し、床材を施工する際に床材の表面側からの基礎床面からの高さ調整及び全体の接着固定を可能にする、接着対応束に関する。
【背景技術】
【０００２】
支柱設置用の開孔部を有する床材を基礎床面に対して施工する際に、床材の表面側からの高さ調整及び全体の接着固定を行う技術として、特許文献１に記載のものが存在する。
該特許文献１には、円盤状の本体２と該本体上面中央部に突設された棒状突出部３からなり、該本体及び／又は棒状突出部に下方及び／又は側方に延在する貫通孔４（接着剤流通路）を有する支持補助具１を用い、該支持補助具の上記棒状突出部が中空体の支持ボルト１１の中央貫通孔１３下端部に挿入された状態で、支持補助具の本体と支持ボルトの鍔部１２を貫通孔２４（接着剤流通路）を有する接床基台２０の空洞部２１に嵌め込んで収容し、接床基台に支持ボルトが支持補助具を介して回動自在に立設するようにユニット支持脚１０を構成するものである。
【発明の概要】
【発明が解決しようとする課題】
【０００３】
しかしながら、特許文献１に記載の技術は、基礎床面側である接床基台２０と円盤状の本体２とを接着固定するものであり、床材との接触側であるナット３０及び支持ボルト１１の外周ネジ部１４を含む全体を接着するものでなかった。
従って、本発明の課題は、支柱設置用の開孔部を有する床材を基礎床面に対して施工する際に、床材の表面側からの高さ調整を可能とした上で、さらに、基礎床面側のみならず床材との接触面側も含んだ全体の接着固定を可能とする手段を提供することにある。
【課題を解決するための手段】
【０００４】
本発明の課題を解決するための手段は、下記のとおりである。
【０００５】
第１に、
中央開孔で、該開孔箇所にネジ溝が形成された上面基台と、
外周面にネジ山が形成され、上部側が前記上面基台の開孔箇所と組み合う中空構造の支柱と、
該支柱の下端側と組み合う下面基台とを有し、
前記支柱は、中空部分の上部側が多角形状に形成されると共に、中空部分の下端側に球状端部を有し、
該球状端部は、最下端箇所の中央部に接着剤の流出口となる開孔部を有すると共に、外周面に該開孔部と連続する接着剤の流出路となる溝を有し、
該支柱の長さ方向に沿った側面には、接着剤流路用の平滑面が形成され、該平滑面以外の外周面にはネジ山が形成されており、
前記下面基台は、前記支柱の球状端部と組み合う凹部収納体とフランジを有すると共に、前記球状端部を組み合わせた際に閉塞状態を維持したままで広がるスリットを有し、
該スリットは、凹部収納体及びフランジに連続して形成され、
該凹部収納体は、中央部に接着剤の流出口となる開孔部を有すると共に、内周面に該開孔部と連続する接着剤の流出路となる溝を有し、
該フランジの中央部にも開孔部を有し、
該下面基台の底面側には、接着剤の外部流出を防ぐ閉塞壁を有することを特徴とする、接着対応束。
第２に、
前記下面基台は、底面側に突出する三箇所の凸部を有し、該三箇所の凸部を囲むように閉塞壁を有することを特徴とする、前記第１に記載の接着対応束。
第３に、
閉塞壁が、弾性素材で形成されていることを特徴とする、前記第１または第２に記載の接着対応束。
ここで、上面基台、支柱、下面基台は、ポリプレピレン等の樹脂やアルミ等の軽金属素材により製造することができる。
また、球状端部とは、少なくとも支柱との接続部分を除き球体であることが好ましく、凹部収納体との組み合わせた状態において、吊り下げても抜けることがないものである。
【発明の効果】
【０００６】
本発明によれば以下の効果を奏することができる
【０００７】
本発明の接着対応束は、中空構造の支柱の側面に接着剤流路用の平滑面が形成されているので、支柱設置用の開孔部を有する床材を基礎床面に対して施工する際に、床材面の表面側から、高さ調整の後で、支柱の中空部分に接着剤を注入すると共に、支柱の平滑面によって形成された隙間にも接着剤を注入することで、基礎床面側のみならず床材との接触面側も含んだ全体の接着固定をすることができる。
この際、基礎床面が傾斜している場合でも、支柱の支持は、支柱の球状端部と下面基台の凹部収納体との組み合わせによって自在に回転可能な状態なので、支柱を下面基台で支持しつつ、支柱を回転させて高さ調整をすることが可能となる。
【図面の簡単な説明】
【０００８】
【図１】本発明の接着対応束の使用状態の説明図であり、(ａ)は平地、（ｂ）は傾斜地に設置した状態を示す図である。
【図２】本発明の接着対応束の各構成部品の斜視図である。
【図３】本発明の接着対応束の上面基台の説明図であり、（ａ）は側面図、（ｂ）は底面図、（ｃ）は縦断面図である。
【図４】本発明の接着対応束の支柱の説明図であり、（ａ）は平面図、（ｂ）は側面図、（ｃ）は底面図である。
【図５】本発明の接着対応束の下面基台の説明図であり、（ａ）は平面図、（ｂ）は側面図、（ｃ）は平面図、（ｄ）は縦断面図である。
【発明を実施するための形態】
【０００９】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１０】
本実施形態に係る接着対応束は、床材の施工に適し、図１中、(ａ)に示すように平地でも使用可能なものであるが、(ｂ)に示すように傾斜地でも使用できる。
ここで、本実施形態に係る接着対応束は、図示は省略するが、予め組み立て状態で、四隅に支柱設置用の開孔部を有する正方形状の床パネルの裏面に取り付けておき、該取り付け後の床パネルを、基礎床面に対して敷設することで施工するものである。
また、本実施形態に係る接着対応束は、単体でも使用可能なものである。
【００１１】
該本実施形態の接着対応束は、図２に示すように、ポリプレピレン樹脂製の上面基台１と、該上面基台１と上部側が組み合うポリプレピレン樹脂製の中空構造の支柱２と、該支柱２の下端側と組み合うポリプレピレン樹脂製の下面基台３とを有する。
【００１２】
前記上面基台１は、支柱設置用の開孔部を有する床板の裏面側に接触するものであり、図３に詳細に示すように、開孔円状板１１の中央部分に中央開孔部１１ａを有し（図３（ｂ）参照）、該開孔箇所にネジ溝が形成されたものである（図３（ｃ）参照）。
該中央開孔円状板１１の中央開孔部１１ａには、小円筒１２が連続して一体で形成されている。
該小円筒１２の内面側には、支柱２の上部側をねじ込み可能なネジ溝が連続して形成されている。
【００１３】
図中、１３は小円筒１２の外周に同間隔で６箇所に設けられた縦リブを示している。
また、詳細な図示は省略するが、上面基台１の開孔円状板１１の上面側には、１０ミリメートル間隔のマス目を形成する深さ１．０ミリメートルのＶ型溝を縦横に形成することで、床板との接触力を高めることができる。
【００１４】
前記支柱２は、図４に詳細に示すように、外周面にネジ山が形成され（図４（ｂ）参照）、上部側が前記上面基台１の中央開孔部１１ａ及び小円筒１２と組み合う中空筒２１の下端側に、球状端部２２を有する。
該支柱２の中空筒２１の上部側の形状は、正六角形状に形成されている（図４（ａ）参照）。
【００１５】
該球状端部２２は、最下端箇所の中央部に接着剤の流出口となる開孔部２２ａを有すると共に（図４（ｃ）参照）、外周面に該開孔部２２ａと連続する接着剤の流出路となる３本の曲線状の外周溝２２ｂを有する（図４（ｃ）参照）。
該支柱２の中空筒２１の長さ方向に沿った側面の２箇所（図４（ａ）参照）には、接着剤流路用の平滑面２３が形成されている。
【００１６】
該平滑面２３以外の中空筒２１の外周面には、ネジ山が形成されている。
例えば、外径が３９ミリメートルの中空筒２１の下端側に、直径４０ミリメートルの球状端部２２を一体で形成することができる。
ここで、中空筒２１に平滑面２３を形成するには、ネジ山を全体に形成した中空筒２１に対して、側面を縦方向にそぎ落とす加工を行うことで実施できる。
【００１７】
前記下面基台３は、図５に詳細に示すように、前記支柱２の球状端部２２と組み合う凹部収納体３１と、三角形状のフランジ３２を有する。
該フランジ３２は、凹部収納体３１の外周に一体で形成され、三角形状の各角部において底面側に突出する凸部３２ａを有する。
【００１８】
前記下面基台３の凹部収納体３１及びフランジ３２には、前記球状端部２２を組み合わせた際に閉塞状態を維持したままで凹部が広がるスリット３３を有する。
スリット３３は、接着剤が外部に流出しないように閉塞状態を維持するため、凹部収納体３１及びフランジ３２に連続して、スリット形成片３４の内部側に形成されている（図５（ａ）参照）。
【００１９】
該凹部収納体３１の中央部には、接着剤の流出口となる開孔部３１ａを有する。
前記スリット３３は、該開孔部３１ａに連続している（図５（ｃ）参照）。
該凹部収納体３１の内周面には、該開孔部３１ａと連続する接着剤の流出路となる内周溝３１ｂを有する。
【００２０】
前記フランジ３２の中央部にも、凹部収納体３１の開孔部３１ａに連続して開孔部３２ｂを有する。
また、前記下面基台３の底面側には、フランジ３２の底面側に突出する三箇所の凸部３２ａを囲むように、スポンジゴム等の弾性素材で形成された閉塞壁３５を有する。
【００２１】
前記凹部収納体３１の凹部の上端側の直径は、球状端部２２の球の部分の直径より小さく、例えば、球状端部２２の直径が４０ミリメートルの場合は、３８．７ミリメートルに形成されている。
なお、前記凹部収納体３１の凹部の上端側の直径とは、小円筒状の凹部収納体３１の厚みを除く、内径部分の一端から対向する反対端までの長さを示す。
このように、前記凹部収納体３１の凹部の上端側の直径を、球状端部２２の球の部分の直径より小さく形成することで、下面基台３に支柱２を組み合わせた際に、支柱２が抜けにくくなって、保持力を高めることが可能となる。
【００２２】
図５中、３６は凹部収納体３１及びフランジ３２と一体となって三角形状に形成された三角リブである。
該三角リブ３６は、スリット３３の形成箇所を除き、９０度の角度毎に３箇所に形成されている。
【００２３】
次に、上記の接着対応束の使用例について説明する。
【００２４】
始めに、下面基台３の凹部収納体３１に、支柱２の球状端部２２を嵌め込むと共に、上面基台１を支柱２の上端側に組み合わせ、図１に示すように、支柱２の上部が上面基台１から突出するようにすることで接着対応束を組み立てる。
ここで、凹部収納体３１に球状端部２２を嵌め込む際には、スリット３３の部分が一時的に広がるので、容易に組み合わせることが可能となる。
【００２５】
組み立てた接着対応束を、図示は省略するが、四隅に支柱設置用の開孔部を有する正方形状の床パネルの裏面に取り付ける。
取り付けは、上面基台１の床パネルとの接触面に接着剤を塗布し、両者を押圧して接着力により行う他に、図示は省略するが、上面基台１にネジ孔を設け、該ネジ孔を利用してネジ止めすることで行うこともできる。
【００２６】
四隅に接着対応束を取り付けた床パネルを、基礎床面に対して、接着対応束側を下にして敷設する。
この際、支柱２と下面基台３とは、球状端部２２と凹部収納体３１との組み合わせで取り付けられているので、吊り下げられた状態でも下面基台３が脱落することはない。
すなわち、球状端部２２と凹部収納体３１との組み合わせ状態では、凹部収納体３１の上端側の直径が球状端部２２の直径より僅かに小さいので、吊り下げられた状態でも、支柱２から凹部収納体３１が脱落することがなく、傾斜対応も可能となっている。
【００２７】
そして、基礎床面が傾斜していても、下面基台３が傾斜に対応して傾くので、床パネル自体を水平に敷設することが可能となる。
敷設後、床パネル全体を水平にするため、六角レンチを支柱２の上端に差し込み、支柱２を回転させて高さを調節する。
この際、基礎床面が傾斜している場合でも、支柱２の支持は、支柱２の球状端部２２と下面基台３の凹部収納体３１との組み合わせによって自在に回転可能な状態なので、支柱２を下面基台３で支持しつつ、支柱２を回転させて高さ調整をすることが可能となる。
【００２８】
高さ調節後、中空筒２１と球状端部２２とが通じている支柱２の中空部分に、球状端部２２の開孔部２２ａから流出する量の接着剤を注入する。
注入後、中空部分の正六角形状に合致した押込具（図示は省略）を用いて、支柱２の中空部分に注入された接着剤を押し出すように、該押込具を支柱２の中空部分に差し入れる。
【００２９】
開孔部２２ａから押し出された接着剤は、下面基台３の凹部収納体３１の開孔部３１ａから、下面基台３の裏側空間に充填されるが、閉塞壁３５によって外部流出が防止される。
また、開孔部２２ａから押し出された一部の接着剤は、球状端部２２の表面に形成された外周溝２２ｂに入り込み、凹部収納体３１と球状端部２２との接触面に接着剤が注入される。
【００３０】
さらに、支柱２の平滑面２３によって形成された空間にも、接着剤を注入する。
該空間に注入された接着剤は、支柱２と上面基台２との接触箇所に充填される。
【００３１】
上記のように注入された接着剤が硬化すると、下面基台３と基礎床面、下面基台３と支柱２、支柱２と上面基台１、上面基台１と床パネルとが接着固定される。
その結果、下面基台３側だけでなく、上面基台1側も接着固定されることになり、接着対応束全体で接着固定されることになる。
【符号の説明】
【００３２】
１  上面基台
１１  開孔円状板
１１ａ  中央開孔部
１２  小円筒
１３  縦リブ
２  支柱
２１  中空筒
２２  球状端部
２２ａ  開孔部
２２ｂ  外周溝
２３  平滑面
３  下面基台
３１  凹部収納体
３１ａ  開孔部
３１ｂ  内周溝
３２  フランジ
３２ａ  凸部
３２ｂ  開孔部
３３  スリット
３４  スリット形成片
３５  閉塞壁
３６  三角リブ
【先行技術文献】
【特許文献】
【００３３】
【特許文献１】特開平１０−２５９６５５号公報
【図１】
2018076685.tif 000003
【図２】
2018076685.tif 000004
【図３】
2018076685.tif 000005
【図４】
2018076685.tif 000006
【図５】
2018076685.tif 000007